(57)【要約】【課題】レンズ鏡筒の筒部材の成形時にショートショットを防止するとともに、該筒部材にリング部材を安定に固定できるようにすること。【解決手段】第一カム筒３１は内面にカム溝３１ｅを有し、被写体側の端部にて化粧リング３３を外周面で保持する。第一カム筒３１は、化粧リング３３を保持するため、前縁部に化粧リング３３と係合する係合面部３１ｇと、カム溝３１ｅと対応する外周面部にて外径方向へ突出した凸面部３１ｈを有する。凸面部３１ｈは係合面部３１ｇよりも突出量が小さくなっている。化粧リング３３のうち第一カム筒３１の外周面に保持された部分と、凸面部３１ｈとの間に形成される間隙（Ａ１部）に接着剤が充填されて、化粧リング３３が第一カム筒３１に固定される。【選択図】  図１３
2014115334.tif 000002
【特許請求の範囲】
【請求項１】
内面にカム溝を有する筒部材と、該筒部材の外周面で保持されるリング部材を備えたレンズ鏡筒であって、
前記筒部材は、前記リング部材を保持する部分にて光軸から離れる方向へ突出した係合面部と、前記カム溝と対応する外周面部にて光軸から離れる方向へ突出し、かつ前記係合面部よりも突出量の小さい凸面部を有し、
前記リング部材のうち前記筒部材の外周面に保持された部分と前記凸面部との間に接着剤が充填されることを特徴とするレンズ鏡筒。
【請求項２】
前記係合面部は、前記凸面部よりも被写体側に位置していることを特徴とする請求項１に記載のレンズ鏡筒。
【請求項３】
光軸回り方向に亘って配置された複数の前記係合面部および凸面部のうち、少なくとも一対は光軸方向にて隣接して配置されることを特徴とする請求項１または２に記載のレンズ鏡筒。
【請求項４】
光軸方向にて前記筒部材と前記リング部材との間に配置される遮光部材を有し、
前記筒部材は、前記リング部材のうち前記筒部材の外周面に保持された部分と前記遮光部材との間に位置し、かつ光軸方向へ突出した環状の突出部を有することを特徴とする請求項１ないし３のいずれか１項に記載のレンズ鏡筒。
【請求項５】
前記リング部材のうち前記筒部材の外周面に保持された部分と前記突出部との間に形成される間隙に接着剤が充填されることを特徴とする請求項４に記載のレンズ鏡筒。
【請求項６】
請求項１から５のいずれか１項に記載のレンズ鏡筒を備えることを特徴とする光学機器。
【請求項７】
請求項１から５のいずれか１項に記載のレンズ鏡筒を備えることを特徴とする撮像装置。
【発明の詳細な説明】
【技術分野】
【０００１】
本発明は、筒部材とこれに接着固定されるリング部材を有するレンズ鏡筒の構造に関するものである。
【背景技術】
【０００２】
従来、撮影時に撮像装置本体から繰り出し、収納時に撮像装置本体内へ沈胴する各種のズーム鏡筒が提案されている。沈胴機構を有するレンズ鏡筒は、複数の直進筒と回転筒を組み合わせて、光軸方向へ進退するように構成される。非使用時に各筒を撮像装置本体の厚み内に収納することで撮像装置本体の厚みを低減できる。
また、多段沈胴式のレンズ鏡筒では、筒の前面部に金属製の化粧リングを設けることで、デザイン性を向上させた各種の構成が提案されている、特許文献１に開示された鏡筒では、内径側にカム溝を有するカム筒の先端に金属製の化粧リングが設けられている。
【先行技術文献】
【特許文献】
【０００３】
【特許文献１】特開２０１２−１１８３４３号公報
【発明の概要】
【発明が解決しようとする課題】
【０００４】
一般的に、カム筒における化粧リングの設置箇所では、化粧リングの厚み分だけカム筒の肉厚を薄くしている。また、カム筒に形成したカム溝の底部における肉厚は、周囲よりもカム溝の深さ分だけ薄くなる。特にカム筒の先端部にてカム溝と化粧リングとの設置部が重なるように構成されたカム筒では、カム溝を形成した部分が肉薄になる。このため、当該部分（薄肉部）は、射出成形時に樹脂材料が十分に入り込まない場合、ショートショット（充填不足）の懸念がある。仮に、この薄肉部を穴が空いた構成にした場合、この部分から化粧リングを固定する接着剤が侵入してカム溝に回り込んでしまうといった問題が発生する。さらには、化粧リングをカム筒に対して安定に接着して固定するためには、接着剤溜まりの空間を十分に確保する必要がある。
本発明の目的は、レンズ鏡筒の筒部材の成形時にショートショットを防止するとともに、該筒部材にリング部材を安定に固定することである。
【課題を解決するための手段】
【０００５】
上記課題を解決するために、本発明に係る装置は、内面にカム溝を有する筒部材と、該筒部材の外周面で保持されるリング部材を備えたレンズ鏡筒であって、前記筒部材は、前記リング部材を保持する部分にて光軸から離れる方向へ突出した係合面部と、前記カム溝と対応する外周面部にて光軸から離れる方向へ突出し、かつ前記係合面部よりも突出量の小さい凸面部を有し、前記リング部材のうち前記筒部材の外周面に保持された部分と前記凸面部との間に接着剤が充填される。
【発明の効果】
【０００６】
本発明によれば、筒部材の成形時のショートショットを防止するとともに、筒部材にリング部材を安定に接着固定することができる。
【図面の簡単な説明】
【０００７】
【図１】図２ないし図１４と併せて本発明の実施形態を説明するために、本発明の実施形態に係る撮像装置の状態を例示するレンズ鏡筒の断面図である。
【図２】本発明の実施形態に係るレンズ鏡筒の撮影時の断面図である。
【図３】本発明の実施形態に係るレンズ鏡筒の沈胴時の断面図である。
【図４】本発明の実施形態に係るレンズ鏡筒の分解斜視図である。
【図５】本発明の実施形態に係る撮像装置の斜視図である。
【図６】固定筒ユニットの分解斜視図である。
【図７】第一カム筒ユニットの分解斜視図である。
【図８】第二カム筒ユニットの分解斜視図である。
【図９】第一カム筒ユニットおよび第二カム筒ユニットの分解斜視図である。
【図１０】第二カム筒の斜視図である。
【図１１】１群筒ユニットの斜視図である。
【図１２】第一カム筒の前端部を示す図である。
【図１３】第一カム筒の前端部および化粧リング、遮光シートを示す断面図である。
【図１４】第一カム筒の外周面部を示す展開図である。
【発明を実施するための形態】
【０００８】
以下、図１ないし図１４を参照して、本発明の実施形態に係るレンズ鏡筒を備えた撮像装置としてのデジタルカメラについて説明する。このレンズ鏡筒は、交換式レンズなどの光学ユニット、光学機器、および撮像装置に適用できる。
図１ないし図４は本実施形態に係るレンズ鏡筒を備えた撮像装置（デジタルカメラ）の構成例を示し、図５はレンズ鏡筒を適用した撮像装置（デジタルカメラ）の斜視図である。撮像装置としてのデジタルカメラ１はレンズ鏡筒としての３段構成の沈胴式レンズ鏡筒２を備えており、撮影時と沈胴時で光軸方向に鏡筒全長を変化させることができる。以下では光軸方向被写体側を前方、光軸方向撮像素子側を後方とし、撮影レンズの光軸に近づく側（光軸に直交する方向のうち光軸に向かう方向）を内側と定義する。この定義に従って、本実施形態に係るレンズ鏡筒を備えた撮像装置（デジタルカメラ１）の各部の位置関係を説明する。
【０００９】
図１ないし図３はレンズ鏡筒２の断面図である。図１はレンズ鏡筒２のワイド（広角）状態を示し、図２はレンズ鏡筒２のテレ（望遠）状態を示し、図３はレンズ鏡筒２の沈胴状態を示す。図４はレンズ鏡筒２の分解斜視図であり、前方から見た場合の各構成部を示す。
レンズ鏡筒２は３段構成の沈胴式レンズ鏡筒であり、４群の撮影レンズ群を備える。１群レンズ１１は１群筒５１に保持される。２群レンズ１２は２群ホルダ７２に保持される。３群レンズ１３は、３群ホルダ７３に保持される。また、３群ホルダ７３内にはシャッタユニット７３Sが設けられている。４群レンズ１４は４群ホルダ７４に保持され、ＡＦ（オートフォーカス）モータユニット７５（図４参照）の動力によって光軸方向へ移動可能である。以下、レンズ鏡筒２の各段の構成を詳細に説明する。
【００１０】
図６は固定筒ユニット２０の分解斜視図であり、固定筒ユニット２０は固定筒２１とセンサホルダ２２で構成される。固定筒２１は、内周面に直進溝２１ａとカム溝２１ｂを有する。センサホルダ２２は、撮像素子１５、モータ８１、ギアボックス８２を保持する。モータ８１はズーム駆動源であり、モータ８１の出力軸がギアボックス８２と連結している。ギアボックス８２は、モータ８１からの動力を伝達する複数のギアを収納する。ギアボックス８２は、固定筒２１とセンサホルダ２２が結合された状態で、ギアボックス８２内のギアが出力ギア８３と噛合して、動力を後述の第一カム筒３１へ伝達する。さらに、センサホルダ２２は４群ホルダ７４を駆動するＡＦモータユニット７５を備える。
【００１１】
図７は、鏡筒１段目となる第一カム筒ユニット３０を前方から見た場合の分解斜視図である。第一カム筒ユニット３０は第一カム筒３１、直進板３２、化粧リング３３、遮光シート３４で構成される。
第一カム筒３１は、内周面に溝部３１ａと直進溝３１ｄが形成されている。溝部３１ａは後方の端寄りの内周面部にて光軸回り方向に沿って切り欠いた凹部である。また、直進溝３１ｄは、光軸に平行な方向に沿って第一カム筒３１の内周面に形成されている。第一カム筒３１の外周面にはギア３１ｂとカムピン３１ｃが設けられている。ギア３１ｂが出力ギア８３（図６参照）と噛み合うことによってモータ８１からの動力を伝達し、第一カム筒３１が光軸回りに回転する。カムピン３１ｃは、固定筒２１の内周面に形成されたカム溝２１ｂと係合する。第一カム筒ユニット３０は、このカム溝２１ｂに沿って光軸方向へ移動する。また、第一カム筒３１の内周面にはカム溝３１ｅが形成されている。交差部３１ｆは直進溝３１ｄとカム溝３１ｅとが交差する部分である。第一カム筒３１の前縁部３１ｊは、他の部分よりも薄肉に形成されている。前縁部３１ｊの外周面には、外側に突出した係合面部３１ｇと、カム溝３１ｅの内底面の薄肉部を増肉するように設けられた凸面部３１ｈが形成されている。
【００１２】
直進板３２はリング状の板状部材であり、フランジ３２ｆと、該フランジに対して垂直に設けた複数の直進キー３２ｃ、３２ｄを有する。フランジ３２ｆは、光軸回り方向の３箇所に係合部３２ａを有しており、第一カム筒３１の溝部３１ａと係合する。つまり、直進板３２は、第一カム筒３１と一体となって光軸方向へ移動可能である。さらに、フランジ３２ｆには複数の穴部３２ｂが形成され、外周縁部から外側に向いた複数の突起部３２ｅが形成されている。突起部３２ｅと固定筒２１の直進溝２１ａが係合することで直進板３２が直進ガイドされる。直進板３２の直進キー３２ｃは後述する直進筒４３の直進係合部４３ｇと係合し、また直進キー３２ｄは後述するカバー筒４１の直進係合部４１ｂと係合する。これにより、直進筒４３、カバー筒４１がそれぞれ直進ガイドされる。
第一カム筒３１の前面部には、化粧リング３３、遮光シート３４が取り付けられる。化粧リング３３は、第一カム筒３１の係合面部３１ｇに嵌合することで第一カム筒３１に保持される。遮光シート３４は化粧リング３３と第一カム筒３１によって挟持され、第一カム筒３１の前面リブ（突出部）３１ｋの内側に配置される。
【００１３】
図８は、鏡筒２段目となる第二カム筒ユニット４０を前方から見た場合の分解斜視図である。第二カム筒ユニット４０はカバー筒４１、第二カム筒４２、直進筒４３、遮光板４４、化粧キャップ４５で構成される。図９は、第一カム筒ユニット３０および第二カム筒ユニット４０を後方から見た場合の分解斜視図である。図１０は、第二カム筒４２を後方から見た場合の斜視図である。
【００１４】
カバー筒４１は、後方の端部の外周面にカムピン４１ａを有し、内面側に直進係合部４１ｂ（図９参照）を有する。カムピン４１ａは、第一カム筒３１のカム溝３１ｅと係合する。直進係合部４１ｂは、直進板３２の直進キー３２ｄと係合する。カバー筒４１の後端部にて円周方向に形成したリブ４１ｄから３箇所の凸部４１ｃが光軸に近づく方向に突出しており、この凸部４１は第二カム筒４２の外面に形成した溝部４２ｅと係合する。これによりカバー筒４１は第二カム筒４２と一体的に光軸方向へ移動する。また、カバー筒４１は、その前方の端部に化粧キャップ４５を備える。
【００１５】
第二カム筒４２は、外面にカム溝４２ａと回転伝達突起４２ｂを有する筒部材である。カム溝４２ａは１群筒５１のカムピン５１ａと係合する。このカム溝４２ａとカムピン５１ａとの係合によって、１群筒５１はカム溝４２ａの軌跡に沿って進退する。回転伝達突起４２ｂは第二カム筒４２の後端部から外側に突出した部分に形成されている。回転伝達突起４２ｂは、第一カム筒３１の直進溝３１ｄと係合する。この回転伝達突起４２ｂと直進溝３１ｄとの係合によって、第二カム筒４２は第一カム筒３１と共に回転する。第二カム筒４２の内面側にはカム溝４２ｃ、４２ｄが形成されている。カム溝４２ｃは２群ホルダ７２のカムピン７２ａ（図４参照）と係合する。このカム溝４２ｃとカムピン７２ａとの係合によって、２群レンズ１２はカム溝４２ｃの軌跡に沿って進退する。カム溝４２ｄは３群ホルダ７３の地板に設けたカムピン７３ａ（図４参照）と係合する。このカム溝４２ｄとカムピン７３ａとの係合によって、３群レンズ１３はカム溝４２ｄの軌跡に沿って進退する。
【００１６】
直進部材としての直進筒４３は、２群ホルダ７２の直進ガイドを行う直進ガイド溝４３ａと、３群ホルダ７３の直進ガイドを行う直進ガイド溝４３ｂを有する。直進筒４３は前端にフランジ４３ｃを有し、フランジ４３ｃの外周部に１群筒５１の直進ガイドを行う直進キー部４３ｄを有する。また、直進筒４３の後端寄りの外周面には複数の突起４３ｅが設けられており、突起４３ｅはそれぞれ第二カム筒４２の凹部４２ｆ（図１０参照）の後端面と係合する。また直進筒４３の後端寄りの部分には複数の係止部４３ｆが形成されており、各係止部４３ｆは後端に係止爪を有する。直進筒４３は、第二カム筒４２に対して、フランジ４３ｃと突起４３ｅにより保持されて、第二カム筒４２と一体的に光軸方向へ移動する。
遮光板４４は円環状をした遮光部材であり、直進筒４３との係合部４４ａを複数有している。これらの係合部４４ａは、遮光板４４の内周部にて所定の角度間隔をおいて形成されており、直進筒４３の係止部４３ｆとそれぞれ係合する。この係合部４４ａと係止部４３ｆとがそれぞれ係合することによって、遮光板４４は直進筒４３に保持される。
【００１７】
図１１は１群筒ユニット５０の詳細を示す斜視図である。１群筒ユニット５０は、１群筒５１、バリア羽根５２（図４参照）、１群カバー５３で構成される。１群筒５１の内周面には後方に突出した複数の部分が設けられており、第二カム筒４２のカム溝４２ａと係合するカムピン５１ａを有する。また、光軸に平行な方向に沿って形成した直進ガイド溝５１ｂは、直進筒４３の直進キー部４３ｄと係合して１群筒５１の直進ガイドを行う。１群筒ユニット５０は、この直進ガイド溝５１ｂと直進キー部４３ｄとが係合した状態で、カム溝４２ａの軌跡に沿って進退する。また、バリア羽根５２は、撮像装置（デジタルカメラ１）の使用状態にて開口を開き、沈胴状態では開口を閉じるように構成されている。なお、バリア羽根５２は完全に開口を閉じなくとも、撮像装置（デジタルカメラ１）の使用状態にて開口を開き、開口の大きさを大きくし開口の大きさを小さくする構成であってもよい。
【００１８】
図１２は、第一カム筒３１の前端部を部分的に切り欠いて詳細に示す図である。図１３は、第一カム筒３１の前端部および化粧リング３３、遮光シート３４を詳細に示す断面図である。図１４は、第一カム筒３１の外周面部の展開図である。図１４においては、内周面側に形成したカム溝３１ｅの軌跡を破線で示している。
前記のように、カム筒３１の前縁部３１ｊには、外側に突出した複数の係合面部３１ｇと、これに隣接して後方に複数の凸面部３１ｈが形成されている。係合面部３１ｇおよび凸面部３１ｈのうち、光軸回り方向にて位相が一致している少なくとも一対は、光軸方向にて隣接して配置される。図１４に示すように、係合面部３１ｇは円周方向にて等間隔に設けられており、化粧リング３３の内周面部と係合して化粧リング３３を保持する。また、凸面部３１ｈは、複数のカム溝３１ｅにそれぞれ対応する薄肉部の厚さを増すように設けられている。
【００１９】
図１３は、化粧リング３３および遮光シート３４を第一カム筒３１に組み込んだ状態を示す。凸面部３１ｈの形成により、カム溝３１ｅの薄肉部、つまり、図１３中にＬで示す部分に対して厚さを増すことができ、射出成形時のショートショット（樹脂材料の充填不足）を防止できる。さらに、凸面部３１ｈは、係合面部３１ｇよりも外径方向（光軸に直交する方向）への突出量が小さく設定されている。よって、化粧リング３３と凸面部３１ｈとの間に隙間が確保されるので、この隙間に化粧リング３３を固定するための接着剤を流し込むことができる。図１３中のＡ１部およびＡ２部は接着剤が流れ込むスペースを示している。Ａ１部は凸面部３１ｈ上で接着剤を充填するスペースを示し、Ａ２部は前縁部３１ｊ上で接着剤を充填するスペースを示している。係合面部３１ｇに隣接してその後方に形成された凸面部３１ｈ上に接着剤を流し込むことで、Ａ１部に接着剤が充填される。これにより、仮に化粧リング３３が外れる方向へ力がかかった場合、Ａ１部に固着された接着剤が係合面部３１ｇに対して抜け止めの効果をもたらすので、化粧リング３３が容易に脱落しないように防止できる。
【００２０】
また、本実施形態においては、係合面部３１ｇと凸面部３１ｈを複数の凸形状に形成し、それらを円周方向に亘って均等な角度間隔で配置している。そして、円周方向にて係合面部３１ｇと凸面部３１ｈとの位相を一致させて、両者を光軸方向に隣接して配置している。これにより、径寸法精度を保証し易くなる効果と、金型の型割設定が容易になるという効果が得られる。
さらには、第一カム筒３１の前面部には、光軸方向へ突出する環状のリブ３１ｋが設けられている。このリブ３１ｋは、化粧リング３３の内側面部の接着剤が、第一カム筒３１の内径側に配置された遮光シート３４に回り込まないようにする役目をもつ。
【００２１】
本実施形態によれば、カム溝と対応する外周面部の肉厚を確保し、射出成形時のショートショットを防止するとともに、接着剤溜まりを確保し、リング部材を筒部材に安定に接着固定できる。すなわち、化粧リング３３を第一カム筒３１に接着固定する際に係合面部３１ｇで係合させ、それ以外の部分（前縁部３１ｊ、凸面部３１ｈ）との間隙に接着剤を流し込むことにより接着強度を確保できる。また凸面部３１ｈにより、カム溝３１ｅと対応する薄肉部の厚さを増すことができ、成形時のショートショットが防止される。
なお、係合面部３１ｇの数や凸面部３１ｈの形状については、化粧リング３３の接着強度を保つ範囲内で適宜に変更可能である。
以上、本発明の好ましい実施形態について説明したが、本発明はこれらの実施形態に限定されず、その要旨の範囲内で種々の変形及び変更が可能である。たとえば、本実施形態に係る撮像装置としてデジタルカメラを説明したが、双眼鏡や望遠鏡などの光学機器やデジタルビデオカメラやカメラ付携帯電話などの撮像装置であってもよい。
【符号の説明】
【００２２】
１  ‥‥撮像装置
２  ‥‥レンズ鏡筒
３１  ‥‥第一カム筒
３１ｇ‥‥係合面部
３１ｈ‥‥凸面部
３１ｋ‥‥前面リブ（突出部）
３３  ‥‥化粧リング
３４  ‥‥遮光シート
【図１】
2014115334.tif 000003
【図２】
2014115334.tif 000004
【図３】
2014115334.tif 000005
【図４】
2014115334.tif 000006
【図５】
2014115334.tif 000007
【図６】
2014115334.tif 000008
【図７】
2014115334.tif 000009
【図８】
2014115334.tif 000010
【図９】
2014115334.tif 000011
【図１０】
2014115334.tif 000012
【図１１】
2014115334.tif 000013
【図１２】
2014115334.tif 000014
【図１３】
2014115334.tif 000015
【図１４】
2014115334.tif 000016